(57)【要約】【課題】  常時通電しない洗濯機において、洗濯運転中に停電した時、電源復帰後に自動で工程途中から運転を再開できる検知手段を提供する。【解決手段】  運転状態を記憶する不揮発性記憶手段と、運転待機時にマイクロコンピュータが通電しない状態となるように電源の投入と遮断を制御する手段を備えた回路構成と、洗濯物の投入口に設置された蓋と、運転中に蓋を開けることができないようにロックする蓋ロックを備えた洗濯機において、蓋ロックと連動したラッチ付接点を電源リレーと並列に接続することにより、運転途中に停電したことを検出し、電源復帰後に自動で工程途中から運転再開することができる。【選択図】図１
2009078025.tif 000002
【特許請求の範囲】
【請求項１】
運転待機時にマイクロコンピュータが休止状態となるように電源の投入と遮断を制御する手段をもつ回路構成を備えた洗濯機において、洗濯物の投入口に設置された蓋と、運転中に蓋をロックする蓋ロックと、蓋ロックと連動したラッチ付接点を電源リレーと並列に接続したことを特徴とする洗濯機。
【請求項２】
請求項１において、
洗い，すすぎ，脱水の各工程および現在の運転状態を記憶する記憶手段を備え、停電前の運転状態に復帰させる手段を備えたことを特徴とする洗濯機。
【請求項３】
請求項２において、
スイッチを押す操作をすることよって、停電検出の設定有無を切り替えることを特徴とする洗濯機。
【請求項４】
請求項３において、
停電から復帰する時に、再起動表示を一定時間行い、再起動表示中は運転再開しないで待ち、この間に再起動キャンセルの設定ができる請求項３に記載の洗濯機。
【発明の詳細な説明】
【技術分野】
【０００１】
本発明は洗濯機に関する。
【背景技術】
【０００２】
図２に示す従来の常時通電の洗濯機は、洗濯機の運転動作中に停電が生じ再通電された時、自動的にマイクロコンピュータが通電されるため、運転復帰が可能であり、瞬停時に記憶されている工程途中から運転を再開できる。また、電池を備えた洗濯機においては、運転中の停電時に、時計機能を動かすことにより、停電時間をカウントしておき、一定時間未満の停電ならば運転を再開し、一定時間以上の停電があった時には運転を再開しないようにできる。
【０００３】
図３に示す従来の常時通電しない洗濯機は、洗濯運転中に停電した場合、使用者が電源入スイッチを押す操作をすることにより、瞬停時に記憶されている工程途中から再開できる。
【０００４】
【特許文献１】特開平４―２２４７９５号公報
【特許文献２】特開平７−２７５５６１号公報
【発明の開示】
【発明が解決しようとする課題】
【０００５】
図２に示す常時通電の洗濯機は、自動的に運転復帰が可能であるが、運転待機中に消費電力がかかってしまう問題がある。また、停電中に時間をカウントし、一定時間未満の停電ならば運転を再開し、一定時間以上の停電があった時には運転を再開しないようにする場合は、時計機能を持たなければならず、電池等でバックアップして、情報を記憶していなければならない。
【０００６】
図３に示す常時通電しない洗濯機は、運転待機中に消費電力がかからないが、使用者が電源スイッチの操作をしなければ運転を再開することができない。そのため、この操作を忘れてしまうと、洗濯が途中のまま終了してしまっているので、使用者に不快感を抱かせてしまう。
【０００７】
本発明では、上記の問題を解決するため、運転待機中に消費電力のかからない回路構成を備えた洗濯機において、停電復帰後に使用者が電源スイッチを操作することなく、運転途中から自動的に再開する洗濯機の提供を目的とする。
【課題を解決するための手段】
【０００８】
運転待機時にマイクロコンピュータが通電しない状態となるように電源の投入と遮断を制御する手段をもつ回路構成を備えた洗濯機において、洗濯物の投入口に設置された蓋と、運転中に蓋を開けることができないようにロックする蓋ロックと、蓋ロックと連動したラッチ付接点を電源リレーと並列に接続したことにより、蓋ロックされている場合は、電源「入」スイッチを操作することなく、電源が投入されることで上記の課題を解決する。
【発明の効果】
【０００９】
以上、説明したように、本発明によれば、常時通電しない洗濯機において、停電後自動復帰することができる。
【００１０】
図２に示す従来の常時通電の洗濯機と本発明を比較すると、運転待機中には消費電力がかからない利点がある。また、図３に示す従来の常時通電しない洗濯機における従来技術と本発明を比較すると、運転途中で停電が起きた場合、復帰時に使用者が電源「入」スイッチを押下することなく、自動でマイクロコンピュータが通電され運転途中から再開することができる。
【発明を実施するための最良の形態】
【００１１】
以下、本発明の一実施例を図面に基づいて説明する。図１は、本発明の一実施例を示すブロック図、図２は従来の常時通電のブロック図、図３は従来の常時通電しないブロック図、図４は、本発明の一実施例の形態を示す洗濯機の模式図、図５は、本発明の一実施例における制御内容を示すフローチャート、図６は本発明の一実施例の形態を示す操作パネル図、図７は本発明の一実施例を示すフローチャート、図８は本発明の一実施例を示すフローチャートである。
【００１２】
図１と４に示す本実施例の洗濯機は、不揮発性記憶手段１４を備えたマイクロコンピュータ１３と駆動回路２０と出力装置６〜１２と入力装置１５〜１９と電源４と電源リレー２と負荷リレー５と蓋ロック１１と蓋ロック１１をかけると接点が閉じた状態で保持され、蓋ロックを解除すると接点が開いた状態が保持される蓋ロックに連動したラッチ付接点３により構成される。操作パネル１９の電源「入」スイッチ１が押されると、コンセントから供給させる電源が整流回路により変圧，整流され、マイクロコンピュータ１３が通電し電源リレー２が入る。マイクロコンピュータには、蓋ロック検知１５，水位センサ１６，振動センサ１７，回転センサ１８，操作スイッチ１９等からの入力信号が与えられ、予め定められたプログラムに従い、主給水弁６，補助給水弁７，排水弁８，風呂水ポンプ９，循環ポンプ１０，蓋ロック１１，モータ１２等を制御する。駆動回路２０はマイクロコンピュー１３からの指示に従って導通状態を制御して従属する負荷への給電制御を行い、洗い，すすぎ，脱水の各工程を実行する。洗濯が終了すると、マイクロコンピュータ１３からの信号で電源リレー２を切り、電源の供給を遮断する。蓋がロックされた状態の場合は、電源リレー２が切れている状態でも、蓋ロックと連動したラッチ付接点３によりマイクロコンピュータ１３が通電する。
【００１３】
実施例の一連動作を図５のフローチャートに示す。
【００１４】
まず、停電時の動作を説明する。運転中（Ｓ８）に停電が生じた場合（Ｓ１３「Ｙｅｓ」）、瞬時にその時点で運転している工程やコースや経過時間等を、不揮発性記憶手段に記憶する（Ｓ１５）。停電後は、マイクロコンピュータに電源が供給されないため、運転は途中で停止し、洗濯機の中の衣類も、停電時の状態のままとなっている。
【００１５】
停電が起きず、運転が正常に終了した場合（Ｓ９「Ｙｅｓ」）、使用者が衣類を取り出せるように蓋ロックを解除するため、蓋ロックに連動したラッチ付接点は開状態となる。これにより、蓋ロックが解除されていない状態、つまり、蓋ロックに連動したラッチ付接点が閉じられたままの状態であれば、運転途中で停電したことがわかる。
【００１６】
運転が正常に終了した場合、マイクロコンピュータが通電しない状態となるよう、電源の遮断を行う。
【００１７】
停電から復帰した時、または、運転が正常に終了した状態から電源投入する時の動作を説明する。停電から復帰した時、蓋ロックに連動したラッチ付き接点は、閉状態であるため（Ｓ１「Ｙｅｓ」）、電源リレーは、切れている状態でもマイクロコンピュータに電源が供給される。
【００１８】
運転が正常に終了した状態から電源投入する時は、蓋ロックに連動したラッチ付き接点は開状態になっているため（Ｓ１「Ｎｏ」）、電源「入」スイッチを押下し通電する（Ｓ２「Ｙｅｓ」）。この時、不揮発性記憶手段には、記憶された運転情報がないので（Ｓ４「Ｎｏ」）、表示パネルは初期表示になる。そして、使用者が、コース，洗い時間，すすぎ回数，脱水時間，水量等がボタンを設定し（Ｓ１１）、「スタート」スイッチを押下する（Ｓ１２「Ｙｅｓ」）。
【００１９】
停電から復帰した時は、停電時に記憶された運転情報があるので、運転情報を読み込み（Ｓ３）、運転情報を復元し、停電時に行っていた工程やコースを一定時間経過後に再開する（Ｓ５）。
【００２０】
再開処理後、あるいは、「スタート」スイッチが押された時、運転中に蓋が容易に開いてしまわないように、蓋ロックする。これにより、蓋ロックに連動したラッチ付接点も閉状態となる（Ｓ６）。その後、運転動作を開始する（Ｓ７）。
【００２１】
使用者の好みで停電検出機能を設定することができるように、特定のスイッチ操作により、停電復帰時に蓋ロックしていても運転を再開しない設定にできる。
【００２２】
図７に示すように、運転設定中（Ｓ１１）に操作パネル１９にある停電復帰モード切替スイッチを操作することにより、停電復帰の実施有無を設定し、その設定を不揮発性記憶手段に記憶する。
【００２３】
停電から復帰した時、停電復帰を実施するモードに設定されている場合は（Ｓ１５「Ｙｅｓ」）、停電復帰を行う。また、停電復帰を実施しないモードに設定されている場合は（Ｓ１５「Ｎｏ」）、停電復帰を行わず、蓋ロックを解除し（Ｓ１０）終了する。
【００２４】
ユーザーが操作スイッチの「切」を押下し、意図的に運転を止めた時は、蓋ロックを解除し、蓋ロックに連動したラッチ付き接点を開状態にしてから、リレーを切ることにより、運転を自動的に再開しないようにすることができる。
【００２５】
しかし、蓋ロックが解除できない条件の時は、電源を切ってもまた動き出してしまうので操作性が悪くなるという問題がある。この問題は、図８に示すように、停電から復帰する時に（Ｓ１「ＹＥＳ」）、一定時間の再起動表示を行い（Ｓ１６）、再起動表示中は運転再開しないで待ち、この間に、操作パネル１９にある停電復帰解除スイッチ２２を操作することにより再起動キャンセルの設定（Ｓ１７）を行い、解決することができる。再起動キャンセルされた場合は（Ｓ１６「ＹＥＳ」）、蓋ロックを解除し（Ｓ１０）終了する。
【図面の簡単な説明】
【００２６】
【図１】本発明のブロック図。
【図２】常時通電のブロック図（従来）。
【図３】常時通電しないブロック図（従来）。
【図４】本発明の一実施例の形態を示す洗濯機の模式図。
【図５】本発明の一実施例における制御内容を示すフローチャート。
【図６】本発明の一実施例の形態を示す操作パネル図。
【図７】本発明の一実施例を示すフローチャート。
【図８】本発明の一実施例を示すフローチャート。
【符号の説明】
【００２７】
１  電源「入」スイッチ
２  電源リレー
３  蓋ロックに連動したラッチ付接点
４  電源
５  負荷リレー
６  主給水弁
７  補助給水弁
８  排水弁
９  風呂水ポンプ
１０  循環ポンプ
１１  蓋ロック
１２  モータ
１３  マイクロコンピュータ
１４  不揮発性記憶手段
１５  蓋ロック検知
１６  水位センサ
１７  振動センサ
１８  回転センサ
１９  操作スイッチ
２０  駆動回路
２１  停電復帰切替スイッチ
２２  停電復帰解除スイッチ
【図１】
2009078025.tif 000003
【図２】
2009078025.tif 000004
【図３】
2009078025.tif 000005
【図４】
2009078025.tif 000006
【図５】
2009078025.tif 000007
【図６】
2009078025.tif 000008
【図７】
2009078025.tif 000009
【図８】
2009078025.tif 000010